【手続補正書】
【提出日】平成19年11月27日(2007.11.27)
【手続補正１】
【補正対象書類名】明細書
【補正対象項目名】特許請求の範囲
【補正方法】変更
【補正の内容】
【特許請求の範囲】
【請求項１】  波長の異なる光源からの光束を光ディスクの記録面に集光するための対物レンズを含む集光光学系と、前記記録面からの反射光を検出するための受光手段とを有し、透明基板厚さが異なる第１及び第２の光ディスク（但し、第１の光ディスクの方が第２の光ディスクよりも対物レンズに対する必要開口数が大きいとする）に対して、情報の記録又は再生が可能な情報記録再生用の光ピックアップ装置に使用される対物レンズにおいて、
前記対物レンズの少なくとも一方の面に、入射光束をｋ個（ｋ≧４）の輪帯状の光束（ここで、光軸側からその外側に向かって、順に第１、第２、・・・・・・、第ｋ光束とする）に分割する輪帯状段差部分を形成し、
前記第１の光ディスク使用時には、
前記第１及び第ｋ光束がつくる最良像面位置における前記第１及び第ｋ光束の波面収差の球面収差成分は０．０５λ1ｒｍｓ以下（λ1：第１の光ディスク用の光源波長）であり、
前記第２ないし第（ｋ−１）光束のうち、少なくとも２つの光束はそれぞれ、前記第１及び第ｋ光束がつくる前記最良像面位置とは異なる位置に見かけ上の最良像面位置が形成され、
前記第１及び第ｋ光束がつくる前記最良像面位置で、前記第１の光ディスクに対する必要開口数内を通る前記第１ないし第ｋ光束のそれぞれの光束内の光線の波面収差がほぼｍiλ1（ｍi個は整数で、ｉ＝１，２，・・・・・・，ｋ）となることを特徴とする対物レンズ。
【請求項２】  前記第１の光ディスク使用時に、前記第１及び第ｋ光束がつくる前記最良像面位置で、前記第１ないし第ｋ光束のそれぞれの光束内の光線の波面収差量Ｗ１が、
（ｍi−０．３０）λ1≦Ｗ１≦（ｍi＋０．３０）λ1
を満たすことを特徴とする請求項１に記載の対物レンズ。
【請求項３】  前記第２の光ディスクに対して波長λ2の光源からの光束を用いて情報の記録及び／又は再生を行う際には、第１ないし第（ｋ−１）光束までの光束内の光線の波面収差がほぼｎiλ2（ｎiは整数で、ｉ＝１、２、…、ｋ−１）となることを特徴とする請求項１又は２に記載の対物レンズ。
【請求項４】  前記第２の光ディスクに対して波長λ2の光源からの光束を用いて情報の記録及び／又は再生を行う際には、第１ないし第（ｋ−１）光束までの光束内の光線の波面収差量Ｗ２が前記第２の光ディスクに対する必要開口数内において、
（ｎi−０．３０）λ2≦Ｗ２≦（ｎi＋０．３０）λ2
を満たすことを特徴とする請求項１乃至３のいずれかに記載の対物レンズ。
【請求項５】  前記整数 ｍiの最大値と最小値との差、及び前記整数 ｎiの最大値と最小値との差とが共に２以上であることを特徴とする請求項３又は４に記載の対物レンズ。
【請求項６】  前記個数ｋがｋ＝４であり、前記弟１の光ディスク使用時の絞り径をφｍａｘ、第１光束と第２光束とに分割する前記輪帯状段差部分の境界から光軸までの高さをｈ１、第３光束と第４光束とに分割する前記輪帯状段差部分の境界から光軸までの高さをｈ３としたとき、
０．６２≦ｈ１／０．５φｍａｘ≦０．６９
０．７０≦ｈ３／０．５φｍａｘ≦０．８０
を満たすことを特徴とする請求項１乃至５のいずれかに記載の対物レンズ。
【請求項７】  前記個数ｋがｋ＝６であり、第２光束及び第５光束がつくる見かけ上の最良像面位置が、第６光束がつくる最良像面位置と異なることを特徴とする請求項１乃至５のいずれかに記載の対物レンズ。
【請求項８】  前記個数ｋがｋ＝６であり、前記第１の光ディスク使用時の絞り径をφｍａｘ、第１光束と第２光束とに分割する前記輪帯状段差部分の境界から光軸までの高さをｈ１、第５光束と第６光束とに分割する前記輪帯状段差部分の境界から光軸までの高さをｈ５としたとき、
０．５２≦ｈ１／０．５φｍａｘ≦０．６７
０．７０≦ｈ５／０．５φｍａｘ≦０．８２
を満たすことを特徴とする請求項７に記載の対物レンズ。
【請求項９】  波長の異なる光源からの光束を光ディスクの記録面に集光するための対物レンズを含む集光光学系と、前記記録面からの反射光を検出するための受光手段とを有し、透明基板厚さが異なる第１及び第２の光ディスク（但し、第１の光ディスクの方が第２の光ディスクよりも対物レンズに対する必要開口数が大きいとする）に対して、情報の記録又は再生が可能な情報記録再生用の光ピックアップ装置において、
前記対物レンズの少なくとも一方の面に、入射光束をｋ個（ｋ≧４）の輪帯状の光束（ここで、光軸側からその外側に向かって、順に第１、第２、・・・・・・、第ｋ光束とする）に分割する輪帯状段差部分を形成し、
前記第１の光ディスク使用時には、
前記第１及び第ｋ光束がつくる最良像面位置における前記第１及び第ｋ光束の波面収差の球面収差成分は０．０５λ1ｒｍｓ以下（λ1：第１の光ディスク用の光源波長）であり、
前記第２ないし第（ｋ−１）光束のうち、少なくとも２つの光束はそれぞれ、前記第１及び第ｋ光束がつくる前記最良像面位置とは異なる位置に見かけ上の最良像面位置が形成され、
前記第１及び第ｋ光束がつくる前記最良像面位置で、前記第１の光ディスクに対する必要開口数内を通る前記第１ないし第ｋ光束のそれぞれの光束内の光線の波面収差がほぼｍiλ1（ｍi個は整数で、ｉ＝１，２，・・・・・・，ｋ）となることを特徴とする光ピックアップ装置。
【請求項１０】  前記第１の光ディスク使用時に、前記第１及び第ｋ光束がつくる前記最良像面位置で、前記第１ないし第ｋ光束のそれぞれの光束内の光線の波面収差量Ｗ１が、
（ｍi−０．３０）λ1≦Ｗ１≦（ｍi＋０．３０）λ1
を満たすことを特徴とする請求項９に記載の光ピックアップ装置。
【請求項１１】  前記第２の光ディスクに対して波長λ2の光源からの光束を用いて情報の記録及び／又は再生を行う際には、第１ないし第（ｋ−１）光束までの光束内の光線の波面収差がほぼｎiλ2（ｎiは整数で、ｉ＝１、２、…、ｋ−１）となることを特徴とする請求項９又は１０に記載の光ピックアップ装置。
【請求項１２】  前記第２の光ディスクに対して波長λ2の光源からの光束を用いて情報の記録及び／又は再生を行う際には、第１ないし第（ｋ−１）光束までの光束内の光線の波面収差量Ｗ２が前記第２の光ディスクに対する必要開口数内において、
（ｎi−０．３０）λ2≦Ｗ２≦（ｎi＋０．３０）λ2
を満たすことを特徴とする請求項９乃至１１のいずれかに記載の光ピックアップ装置。
【請求項１３】  前記整数 ｍiの最大値と最小値との差、及び前記整数 ｎiの最大値と最小値との差とが共に２以上であることを特徴とする請求項１１又は１２に記載の光ピックアップ装置。
【請求項１４】  前記個数ｋがｋ＝４であり、前記弟１の光ディスク使用時の絞り径をφｍａｘ、第１光束と第２光束とに分割する前記輪帯状段差部分の境界から光軸までの高さをｈ１、第３光束と第４光束とに分割する前記輪帯状段差部分の境界から光軸までの高さをｈ３としたとき、
０．６２≦ｈ１／０．５φｍａｘ≦０．６９
０．７０≦ｈ３／０．５φｍａｘ≦０．８０
を満たすことを特徴とする請求項９乃至１３のいずれかに記載の光ピックアップ装置。
【請求項１５】  前記個数ｋがｋ＝６であり、第２光束及び第５光束がつくる見かけ上の最良像面位置が、第６光束がつくる最良像面位置と異なることを特徴とする請求項９乃至１４のいずれかに記載の光ピックアップ装置。
【請求項１６】  前記個数ｋがｋ＝６であり、前記第１の光ディスク使用時の絞り径をφｍａｘ、第１光束と第２光束とに分割する前記輪帯状段差部分の境界から光軸までの高さをｈ１、第５光束と第６光束とに分割する前記輪帯状段差部分の境界から光軸までの高さをｈ５としたとき、
０．５２≦ｈ１／０．５φｍａｘ≦０．６７
０．７０≦ｈ５／０．５φｍａｘ≦０．８２
を満たすことを特徴とする請求項１５に記載の光ピックアップ装置。
【手続補正２】
【補正対象書類名】明細書
【補正対象項目名】００１２
【補正方法】変更
【補正の内容】
【００１２】
【課題を解決するための手段】
請求項１に記載の対物レンズは、波長の異なる光源からの光束を光ディスクの記録面に集光するための対物レンズを含む集光光学系と、前記記録面からの反射光を検出するための受光手段とを有し、透明基板厚さが異なる第１及び第２の光ディスク（但し、第１の光ディスクの方が第２の光ディスクよりも対物レンズに対する必要開口数が大きいとする）に対して、情報の記録又は再生が可能な情報記録再生用の光ピックアップ装置に使用される対物レンズにおいて、
前記対物レンズの少なくとも一方の面に、入射光束をｋ個（ｋ≧４）の輪帯状の光束（ここで、光軸側からその外側に向かって、順に第１、第２、・・・・・・、第ｋ光束とする）に分割する輪帯状段差部分を形成し、
前記第１の光ディスク使用時には、
前記第１及び第ｋ光束がつくる最良像面位置における前記第１及び第ｋ光束の波面収差の球面収差成分は０．０５λ1ｒｍｓ以下（λ1：第１の光ディスク用の光源波長）であり、
前記第２ないし第（ｋ−１）光束のうち、少なくとも２つの光束はそれぞれ、前記第１及び第ｋ光束がつくる前記最良像面位置とは異なる位置に見かけ上の最良像面位置が形成され、
前記第１及び第ｋ光束がつくる前記最良像面位置で、前記第１の光ディスクに対する必要開口数内を通る前記第１ないし第ｋ光束のそれぞれの光束内の光線の波面収差がほぼｍiλ1（ｍi個は整数で、ｉ＝１，２，・・・・・・，ｋ）となることを特徴とする。
【手続補正３】
【補正対象書類名】明細書
【補正対象項目名】００１６
【補正方法】変更
【補正の内容】
【００１６】
請求項４に記載の対物レンズは、前記第２の光ディスクに対して波長λ2の光源からの光束を用いて情報の記録及び／又は再生を行う際には、第１ないし第（ｋ−１）光束までの光束内の光線の波面収差量Ｗ２が前記第２の光ディスクに対する必要開口数内において、
（ｎi−０．３０）λ2≦Ｗ２≦（ｎi＋０．３０）λ2          （２）
を満たすことを特徴とするものである。例えば光ディスクとしてＣＤを用いた場合、Ｗ２が上式（２）を満たさない場合、波面収差のズレが生じ、スポット光強度が低下するからである。
【手続補正４】
【補正対象書類名】明細書
【補正対象項目名】００２１
【補正方法】変更
【補正の内容】
【００２１】
請求項９に記載の光ピックアップ装置は、波長の異なる光源からの光束を光ディスクの記録面に集光するための対物レンズを含む集光光学系と、前記記録面からの反射光を検出するための受光手段とを有し、透明基板厚さが異なる第１及び第２の光ディスク（但し、第１の光ディスクの方が第２の光ディスクよりも対物レンズに対する必要開口数が大きいとする）に対して、情報の記録又は再生が可能な情報記録再生用の光ピックアップ装置において、
前記対物レンズの少なくとも一方の面に、入射光束をｋ個（ｋ≧４）の輪帯状の光束（ここで、光軸側からその外側に向かって、順に第１、第２、・・・・・・、第ｋ光束とする）に分割する輪帯状段差部分を形成し、
前記第１の光ディスク使用時には、
前記第１及び第ｋ光束がつくる最良像面位置における前記第１及び第ｋ光束の波面収差の球面収差成分は０．０５λ1ｒｍｓ以下（λ1：第１の光ディスク用の光源波長）であり、
前記第２ないし第（ｋ−１）光束のうち、少なくとも２つの光束はそれぞれ、前記第１及び第ｋ光束がつくる前記最良像面位置とは異なる位置に見かけ上の最良像面位置が形成され、
前記第１及び第ｋ光束がつくる前記最良像面位置で、前記第１の光ディスクに対する必要開口数内を通る前記第１ないし第ｋ光束のそれぞれの光束内の光線の波面収差がほぼｍiλ1（ｍi個は整数で、ｉ＝１，２，・・・・・・，ｋ）となることを特徴とする。
【手続補正５】
【補正対象書類名】明細書
【補正対象項目名】００２６
【補正方法】変更
【補正の内容】
【００２６】
請求項１２に記載の光ピックアップ装置によれば、その対物レンズにおいて、前記第２の光ディスクに対して波長λ2の光源からの光束を用いて情報の記録及び／又は再生を行う際には、第１ないし第（ｋ−１）光束までの光束内の光線の波面収差量Ｗ２が前記第２の光ディスクに対する必要開口数内において、
（ｎi−０．３０）λ2≦Ｗ２≦（ｎi＋０．３０）λ2          （８）
を満たすことを特徴とするものである。例えば光ディスクとしてＣＤを用いた場合、Ｗ２が上式（８）を満たさない場合、波面収差のズレが生じ、スポット光強度が低下するからである。